(57)【特許請求の範囲】
【請求項１】
歯牙のう蝕またはカリエスを検出するための歯科診断用事前配置アプリケータであって、つぎのものからなり；
直径が細くなったネックと続いて終端部に玉がある先細先端を有する長尺ハンドル、かくして、該直径が細くなったネックは、前記長尺ハンドルと呼応して所望の角度に屈曲することができるものであり；
玉上のフロック材料；
前記フロック材料上で、被覆、乾燥されたカリエス検出剤；
かくして、前記フロック材料上で乾燥したカリエス検出剤は、歯牙のう蝕またはカリエスを診断によって検出するように、再活性化が可能なように歯牙に塗布される歯科診断用事前配置アプリケータ。
【発明の詳細な説明】
【技術分野】
【０００１】
本発明は、一般的に、アプリケータによる材料の塗布に関し、詳しくは、一回用量を事前配量したアプリケータを使用して患者に化学薬品または薬剤を塗布することに関する。
【背景技術】
【０００２】
化学薬品および薬剤のような多くの材料は、アプリケータで塗布される。一般的に、塗布される材料は瓶または壷のようなバルクの形態で含まれ、その中にアプリケータが浸漬される。次いでアプリケータは、材料が塗布される領域に移動される。多くの医療および歯科用途では、そのようなバルク容器の材料の使用は、患者間のクロス汚染を引き起こすおそれがあるので不都合である。しばしば、医療処置中に多くの材料が必要な場合、アプリケータはバルク容器内に再浸漬される。
【０００３】
塗布される材料の多くは液状であり、アプリケータをバルク容器内に浸漬したときに、落滴または溢出するおそれがある。これは周囲を汚し、かつ溢出した材料が有害である場合には、結果的に危険な状態を招くことさえある。加えて、材料によっては染み跡が着き、落とすのが難しい場合がある。
【０００４】
したがって、クロス汚染のおそれ無しに容易に材料を塗布することができる、単純かつ使用し易い事前配量された一回使用のアプリケータの必要性がある。
【特許文献１】米国特許第５，８７４，０６６号
【発明の開示】
【課題を解決するための手段】
【０００５】
本発明は、化学薬品または薬剤のような材料を事前配量したアプリケータに関する。材料はアプリケータの吸収性部分に配置され、乾燥させられる。そうすると材料はアプリケータ上で不活性な安定状態になる。アプリケータ上の材料は、水、唾液、液体、または他の活性化材料に曝露されると再活性化される。
【０００６】
本発明の別の実施形態では、安定した不活性な第一材料がその上に付いたアプリケータと、活性化用の第二材料の別個のリザーバとを含むパッケージを提供する。活性化用の第二材料は安定した不活性な第一材料と反応して、反応または有益な結果を生じる。
【０００７】
本発明の別の実施形態では、各々異なる安定した不活性な材料がその上に付いた複数のアプリケータを含むパッケージを提供する。処置中に順次塗布することによって、異なる安定した不活性な材料を再活性化させると、材料が結合され、反応が引き起こされる。
【０００８】
したがって、本発明の目的は、使い易い事前配量された一回使用のアプリケータを提供することである。
【０００９】
本発明のさらに別の目的は、使用または患者間のクロス汚染を防止することである。
【発明の効果】
【００１０】
アプリケータまたは容器が、アプリケータ上ですぐに活性化することができる安定した不活性な状態にあることは、本発明の利点である。
【００１１】
本発明の特長は、材料がアプリケータ上で乾燥されることである。
【００１２】
これらおよび他の目的、利点、および特長は、以下の詳細な説明に照らしていっそう容易に明らかとなるであろう。
【発明を実施するための最良の形態】
【００１３】
図１は、ハンドル１２とヒンジまたはネック１４とを有する事前配量アプリケータ１０を示す。ヒンジまたはネック１４に隣接して、フロック加工アプリケータ端１８で終端する先細先端１６がある。フロック加工アプリケータ端１８は、先細先端１６に接着された多数または複数のフロック、毛、または小剛毛を含む。先細先端１６は、端部に玉を持つことができる。フロック加工アプリケータ端１８は、フロック１８を液体材料に浸漬するか、あるいは他の方法で液体材料で被覆し、液体を不活性な状態に乾燥させることによって、材料を事前配量される。乾燥後、材料は、すぐに再活性化することのできる安定した不活性な状態になる。不活性な材料は第二の活性化材料により、または塗布される部位で溶媒または水分に曝露することにより、再活性化することができる。
【００１４】
例えば、歯科では、歯牙のカリエスまたは虫歯を検出するためにしばしば指示液が使用される。指示液は、虫歯上に置いて洗い流したときに、病変またはう触した領域を染め出す染料である。染料はしばしば周囲を汚し、多くの意図しない表面に永久的に染み跡を着けることがある。指示材はフロック１８上に乾燥させることができる。指示材は次いで、水もしくは唾液または他の溶媒への曝露によって、再活性化される。乾燥させかつ再活性化させることのできるどんな材料でも、事前配量アプリケータ上で使用することができる。
【００１５】
図２は、発泡体アプリケータ端を使用する本発明の別の実施形態を示す。事前配量発泡体アプリケータ１１０は、ハンドル１１２と、ヒンジまたはネック１１４とを有する。ヒンジまたはネック１１４に隣接して、先細先端１１６がある。先細先端１１６に付着されているのは発泡体アプリケータ１１８である。ヒンジ１１４は、先細先端１１６をハンドル１１２の軸線に対して屈曲または傾斜させることを可能にする。これは、発泡体アプリケータ端１１８の定位に役立つ。発泡体アプリケータ端１１８は、図１に示した実施形態の場合と同様に、乾燥されかつ再活性化させることができる材料を事前配量される。発泡体アプリケータ端１１８はまた、綿、繊維のような他の吸収性材料、または乾燥されかつ再活性化される液体材料を保持することのできる他の同等の吸収性材料からも作成することができる。
【００１６】
図３は、歯科用ウェッジ、爪楊枝、または歯茎もしくは歯肉刺激具として利用できる、本発明の別の実施形態である。事前配量ウェッジアプリケータ２１０は、ヒンジまたは２１４付きのハンドル２１２を備える。ヒンジまたはネック２１４に隣接して、先細先端２１６がある。先細先端２１６の実施知的な部分にフロック２１８が接着されている。フロック加工ウェッジ部分２１８の長手方向の大きさは、少なくとも歯牙の幅つまり約０．２５ないし２．００センチメートルである。
【００１７】
フロック加工ウェッジ部分２１８は、収斂薬または止血剤を事前配量することができる。収斂薬または止血剤は、乾燥後、安定かつ不活性になる。フロック加工部分２１８はまた、ケイ酸ジルコニウムのような研磨剤を事前配量することもできる。この実施形態では、アプリケータ２１０はデンタルフロスの代用品として、歯間を掃除するために使用することができる。フロック加工ウェッジ部分２１８はまた、研磨材を含浸させることもできる。
【００１８】
フロック加工部分２１８はまた、消毒、抗菌、または鎮痛用材料を事前配量することもできる。言うまでも無く、フロック加工部分２１８は、後で再活性化される乾燥材料を吸収または保持することのできる、任意の吸収性物質とすることができる。例えば、吸収性物質はフロック、綿、発泡体、剛毛、または任意の他の実質的に同等の吸収性物質とすることができる。
【００１９】
図３Ａは、玉端を有する本発明の別の実施形態を示す。事前配量アプリケータ２１０Ａは、ヒンジまたはネック２１４Ａ付きのハンドル２１２Ａを備える。ヒンジまたはネック２１４Ａに隣接して、先細先端２１６Ａがある。この実施形態の先細先端は丸みを帯びており、つまり長尺円錐形である。先細先端２１６Ａの実質的な部分にフロック２１８Ａが接着されている。フロック加工ウェッジ部分２１８Ａの長手方向の大きさは、少なくとも歯牙の幅つまり約１から２センチメートルの間である。先細先端２１６Ａの端に、玉２１９が配置される。玉２１９は歯肉または歯茎の負傷を防止する。フロック加工ウェッジはまた、歯牙清掃具、爪楊枝、または歯肉刺激具として使用することもできる。爪楊枝または歯肉刺激具として使用する場合、ウェッジ形状アプリケータは、芳香剤、殺菌剤、消毒剤、抗菌剤、鎮痛剤、または他の同様の同等の材料を事前配量することができる。爪楊枝または歯肉刺激具として使用する場合、フロック加工ウェッジ部分または先細先端２１６Ａは、事前配量材無しに、歯間を掃除するために使用される。フロック２１８Ａは玉２１９の遠端からネック２１４Ａまで延在することが好ましい。ネック２１４Ａは、先細先端２１６Ａの屈曲を容易にする。
【００２０】
図４は、使用中のウェッジの別の実施形態の用途を示す。ウェッジアプリケータ２１０’は、ウェッジ形状部分２１６’に配置されたフロック加工ウェッジ部分２１８’を備える。ハンドル２２０は、ウェッジアプリケータ２１０’の挿入および除去を容易にするために使用することができる。ウェッジアプリケータ２１０’は、歯牙２４および２６の間に配置される。歯肉、組織、または歯茎２２が歯牙２４および２６の基部に隣接している。
【００２１】
事前配量ウェッジは、多くの歯科処置に有益である。ウェッジは一般的に歯科で使用される。ウェッジは二級窩洞形成修復に使用される。二級窩洞では、奥歯または臼歯の隣接側面が関係する。う触を除去した後、収納物を封じ込めるために、マトリックスバンドを使用する必要がある。マトリックスバンドは歯牙を取り囲む帯状の金属である。ウェッジは、マトリックスバンドを窩洞形成の底に当てて保持するために使用される。これは、形成された窩洞の後部に過剰な充填材が押し込まれるのを防止する。不適切に配置されたマトリックスバンドは結果的に、歯周炎または他の問題を起こしやすい修復をもたらすおそれがある。修復材の載置中は形成部を乾燥状態に維持することが、往々にして好都合である。収斂薬または止血剤を事前配量したフロック加工ウェッジは、所定の位置にあるときに再活性化され、歯肉線をきれいにしかつ準備された窩洞形成部を乾燥状態に維持することに役立つ。フロック加工材の自然吸収力は、形成部を乾燥状態に維持するのに役立つ。加えて、フロック加工ウェッジまたは先細先端は、事前配量材または収斂薬もしくは止血剤無しに使用することができる。
【００２２】
図５は、事前配量されたブラシアプリケータ３１０の別の実施形態を示す。この実施形態は、ハンドル３１２と、ブラシ３１８が形成された端部分に隣接して配置されたヒンジまたはクリンプ３１４とを備える。ブラシ３１８には、不活性な安定した材料を事前配量することができる。次いで材料は、再活性化された材料を使用または塗布するために、再活性化させることができる。
【００２３】
図６は、不活性な第一材料および活性化用の第二材料を有するパッケージを例示する、本発明の別の実施形態を示す。ハンドル１２を有する事前配量アプリケータ１０は、トレイ２８内に配置される。トレイ２８は、そこに形成されたアプリケータ用ウェル３２および材料用ウェル３６を有する。トレイ２８は、適切なプラスチック材から形成することができる。アプリケータ１０は、トレイ２８のアプリケータ用ウェル３２内に保持され、第一の不活性な安定した材料を事前配量されたアプリケータ端１８を有する。アプリケータ端１８は、図示するようにブラシとするか、あるいはフロック、スポンジ、もしくは他の同等の材料とすることができる。活性化材料用ウェル３０は、活性化用の第二材料３６を含む。トレイ２８の頂面を密封して、事前配量アプリケータ１０および第二の活性化材料３６を保護するために、カバー３４を使用することができる。
【００２４】
使用時に、アプリケータ端１８に不活性な安定した材料を事前配量された事前配量アプリケータ１０は、トレイ２８から取り出され、活性化用の第二材料３６に浸漬される。活性化用の第二材料３６は、活性化され結合されたときに結果的に所望の性質の活性化物質を形成するように、事前配量アプリケータ１０のアプリケータ端１８上の第一の当初不活性な安定した材料と協力して作用する。活性化用の第二材料３６は、アルコール、アセトンのような溶媒、または事前配量アプリケータ１０のアプリケータ端１１８上の第一の当初安定した不活性な材料と反応するいずれかの別の化学薬品とすることができる。したがって、多くの二部材料を、一回用量アプリケータに便利に包装して使用することができる。
【００２５】
図７〜９は、本発明のカプセルの実施形態の断面図である。図７は、本発明のカプセルの実施形態の断面図である。カプセル３８は排出端４２を有する本体４０を備える。排出端４２にはカニューレ４４が配置される。カニューレ４４は可鍛性メダルから作成することが好ましい。カニューレ４４の遠端に、フロック加工アプリケータ端４６が配置される。フロック加工アプリケータ端４６には、第一の安定した不活性な材料が事前配量される。第二の活性化材料４８はカプセル３８の本体４０内に配置される。ピストン５０は本体４０の後方開端を封止する。図示しないディスペンサに取り付けるために、本体４０の開端に隣接してフランジ５２が配置される。この実施形態では、ピストン５０を前進させると、第二の活性化材料４８がカニューレ４４を介し、かつフロック加工アプリケータ端４６を介して送り出され、フロック加工アプリケータ端４６上の不活性な安定した材料と結合される。したがって、二成分つまり二部材料を事前混合無しに容易に投薬することができる。
【００２６】
図８は、カプセル１３８の別の実施形態の断面図である。カプセル１３８は、排出端１４２付きの本体１４０を有する。排出端１４２内にはカニューレ１４４が配置される。カニューレ１４４には発泡体アプリケータ１４６が取り付けられている。本体１４０の開端はピストン１５０で封止される。本体１４０の開端に隣接して、フランジ１５２がある。第二の活性化材料１４８は本体１４０内に配置される。発泡体アプリケータ端１４６内に含まれる第一材料と本体１４０内に含まれる第二材料１４８の相互作用により、二つの材料が結合され、活性化されて、所望の治療効果を生じる。
【００２７】
図９は、本発明のカプセルのさらに別の実施形態である。カプセルセス２３８は、カニューレ２４４がその中に配置された排出端２４４を有する本体２４０を備える。カニューレ２４４内には、剛毛ブラシを形成する剛毛２４６がある。本体２４０の開端はピストン２５０で封止される。剛毛２４６には、安定した不活性な第一材料が事前配量される。本体２４０は第二の安定した不活性な材料２４８を含む。ピストン２５０を排出端２４２の方向に前進させると、第二材料２４８がカニューレ２４４を介し、かつ剛毛２４６を介して押し出される。第一および第二材料の結合の結果、材料が活性化され、所望の作用が得られる。
【００２８】
結合または混合されたときに所望の反応を生じる、多くの周知の二部系材料がある。そのような材料として、結合されたときに所望の性質を有する材料を形成するシーラント、接着剤、止血剤、白色化剤、および多数の他の同等の二部系材料がある。
【００２９】
図１０は本発明の別の実施形態を示す。この実施形態では、空の先端３３８を取付け手段３５３によってシリンジ３５４に取り付けることができる。空の先端３３８およびシリンジ３５４の連結または取付け手段３５３は、シリンジに従来使用されるルーアロック（Ｌｕｈｒ  ｌｏｃｋ）のような、任意の同等の公知の取付け構造によって達成することができる。また、先端３３８を単にシリンジ３４５の排出端３５２上に圧嵌することもできる。先端３３８をシリンジ３５４に取り付けるための手段として、ねじまたはバヨネット型構造を使用することもできる。他の同等の取付け手段を使用して、先端３３８をシリンジ３５４に保持することができる。
【００３０】
先端３３８は、フロック加工アプリケータ端３４６を有する排出端またはノズル３４４を備える。フロック加工アプリケータ端３４６は第一の安定した不活性な材料を含む。先端３３８内に配置されたボア３６０は、シリンジ３５４の開口排出端に連通する。シリンジ３５４はシリンジ本体３５６およびシリンジプランジャ３５８を有する。シリンジ３５４内には第二材料３４８が含まれる。
【００３１】
使用時に、第二材料３４８はシリンジ３５４内にバルクで含めることができる。次いで空の先端３３８がシリンジ３５４上に配置または取り付けられ、第二材料３４８は先端３３８内のボア３６０を介して送り出される。第二材料は、第一材料を含む事前配量されたフロック加工アプリケータ端３４６と接触する。この結果、二つの材料が相互作用し、材料が活性化して所望の結果または反応が生じる。この実施形態では、複数の空の先端３３８を単一のバルクシリンジ３５４の使用と組み合わせることができる。したがって、単一バルクシリンジ３５４は、事前配量されたフロック加工アプリケーション端３４６を有する複数個の空の先端３３８で投与される、多数回分の用量を含むことができる。
【００３２】
図１０Ａは本発明の別の実施形態を示す。この実施形態では、空の先端３３８’は取付け手段３５３’によってシリンジ３５４’に取り付けることができる。この実施形態では、取付け手段３５３’は圧嵌することができる。他の同等の取付け手段を使用して、先端３３８’をシリンジ３５４’上に保持することができる。
【００３３】
先端３３８’は、フロック加工アプリケータ端３４６’を有するカニューレ排出端３４４’を備える。カニューレ排出端３４４’は、位置に容易に屈曲することができる軟質延性金属で作成することができる。フロック加工アプリケータ端３４６’は第一の安定した不活性な材料を含む。先端３３８’内に配置されたボア３６０’は、シリンジ３５４’の開口排出端に連通する。シリンジ３５４’はシリンジ３５６’およびシリンジプランジャ３５８’を有する。シリンジ３５４’内には第二材料３４８’が含まれる。
【００３４】
図１１Ａ−Ｄは、本発明の実施形態を作成するための製造工程を模式的に示す。図１１Ａは、アプリケータ１０’で塗布するように意図された材料を含有する溶液または懸濁液６２を保持する容器６０内へのアプリケータ１０’の浸漬を示す。アプリケータ１０’のフロック加工端１８’は、材料を含有する溶液または懸濁液の一部分を吸収する。図１１Ｂは、浸漬したフロック加工端１８’の乾燥を示す。ファン６４を使用して、アプリケータ１０’のフロック加工端１８’を乾燥させることができる。図１１Ｃは、フロック加工端１８’内に含まれる溶液または懸濁液からの乾燥した材料６２’を有するアプリケータ１０’のフロック加工端１８’を示す。希望する場合、フロック加工端１８’の材料６２’は再活性化させて塗布することができる。材料６２’は、フロック加工端１８’を材料６２’の溶液内に浸漬することによって再活性化させることができ、あるいはアプリケータ１０’が使用される環境で再活性化させることができる。例えば、患者の口内の唾液が、歯牙に塗布される材料６２’を活性化させることができる。図１１Ｄは、配量されたアプリケータ１０’のフロック加工端１８’上の材料の歯牙２６’への塗布を示す。図１１Ａ−Ｄは、フロック加工端１８’を有するアプリケータ１０’の使用を示すが、任意の同等の型のアプリケータを使用することができる。例えば、ブラシ、スポンジ、または綿棒型のアプリケータを使用することができる。
【００３５】
図１２は、本発明の実施形態の方法ステップを示す。ボックス４１０は、第一材料をアプリケータに塗布するステップを表わす。ボックス４１２は、アプリケータ上の材料を乾燥させる方法ステップを表わす。ボックス４１４は、乾燥した材料を活性化する方法ステップを表わす。ボックス４１６は活性化された材料を塗布するステップを表わす。
【００３６】
本発明の別の実施形態を図１３〜１７に示す。この実施形態では、順次塗布することを必要とするマルチパート材料を容易に塗布することができる。組み合わせたときに反応する、任意の数の多成分の材料を使用することができる。例えば、一部、二部、三部、またはそれ以上を結合することができる。一例として、この実施形態は二部歯科用減感剤を塗布するのに特によく適している。二部歯科用剤の処置では、第一成分が歯牙の表面に塗布され、その後、第二成分が歯牙の表面に塗布され、二つの成分は結合されて歯牙と反応して、効果的な減感剤となる。歯牙の過敏症を治療するためのそのような二成分または二段階の歯科用減感剤は、１９９９年２月２３日にハックらに発行された「Ｍｅｔｈｏｄ  ａｎｄ  Ｋｉｔ  ｆｏｒ  Ｔｒｅａｔｉｎｇ  Ｔｏｏｔｈ  Ｈｙｐｅｒｓｅｎｓｉｔｉｖｉｔｙ」と称する米国特許第５，８７４，０６６号に開示されており、それを参照によって本書に組み込む。
【００３７】
図１３は、第一容器５６０Ａおよび第二容器５６０Ｂを示す。第一容器５６０Ａは第一溶液または懸濁液５６２Ａを含む。第二容器５６０Ｂは第二溶液または懸濁液５６２Ｂを含む。アプリケータ端５１８Ａを有する第一アプリケータ５１０Ａは、第一溶液または懸濁液５６２Ａ中に浸漬される。アプリケータ端部分５１８Ａは、ブラシ、フロック、スポンジ、または繊維のような任意の吸収性材料で作成することができる。アプリケータ端５１８Ｂを有する第二アプリケータ５１０Ｂは、第二溶液または懸濁液５６２Ｂ中に浸漬される。アプリケータ端５１８Ｂは、第一アプリケータ端部分５１８Ａと同様の任意の吸収性材料で作成することができる。アプリケータ端部分５１８Ａおよび５１８Ｂは、それらのそれぞれの溶液または懸濁液５６２Ａおよび５６２Ｂ内に充分に浸漬される。
【００３８】
図１４は、関連アプリケータ端５１８Ａおよび５１８Ｂがファン５６４で乾燥されている状態の第一および第二アプリケータ５１０Ａおよび５１０Ｂを示す。アプリケータ端部分５１８Ａおよび５１８Ｂは、空気乾燥、凍結乾燥、または昇温もしくは熱による乾燥など、任意の手段によって乾燥させることができる。第一および第二溶液または懸濁液５６２Ａおよび５６２Ｂ中の活性材料は乾燥後は、第一および第二アプリケータ端５１８Ａおよび５１８Ｂ上に固体または結晶の形で維持される。乾燥した材料を事前配量されたアプリケータは容易に包装することができ、液体が漏れる可能性が防止されると共に、乾燥した化学物質は不活性または休眠状態であるので、より長い保存寿命がもたらされる。
【００３９】
図１５は多室パッケージ５２８を示す。多室パッケージは、紙、箔、プラスチック、または中に保持するように意図された材料を収容するための他の適切な材料など、任意の従来の材料で作成することができる。多室パッケージ５２８は、外周に沿って仕切りシール５３２で封止された二枚のシート状材料から形成された、第一室５３０Ａおよび第二室５３０Ｂを備える。仕切りシール５３２は二つの室５３０Ａおよび５３０Ｂを分離する。多室パッケージ５２８の一部分は、当初封止された第一および第二室５３０Ａおよび５３０Ｂへのアクセスを提供するために、容易に分離可能または開封することができる。フラップ５３４および５３５は、多室パッケージ５２８の第一および第二室５３０Ａおよび５３０Ｂの各々にアクセスするために分離することができる。アプリケータ５１０Ａは当初、第一室５３０Ａ内に封止することができ、第二アプリケータ５１０Ｂは当初第二室５３０Ｂ内に封止することができる。
【００４０】
多室パッケージ５２８は、液体を保持するために要求される他のパッケージに比べて、比較的安価に作成することができる。したがって、多室パッケージ５２８は、液体材料を収容するパッケージに要求されるような強度および封止の完全性を、必ずしも必要としない。
【００４１】
それぞれのアプリケータ５１０Ａおよび５１０Ｂのアプリケータ端部分５１８Ａおよび５１８Ｂは、乾燥または脱水した第一および第二材料をそれぞれ含む。アプリケータ５１０Ａおよび５１０Ｂは当初、フラップ５３４および５３５を閉止することによって、多室パッケージ５２８内に封止される。第一および第二アプリケータ端部分５１８Ａおよび５１８Ｂ上の乾燥した第一および第二材料の使用および活性化の前に、多室パッケージ５２８は、フラップ５３４および５３５を分離することによって開封される。次いでアプリケータ５１０Ａおよび５１０Ｂを取り出すことができる。
【００４２】
図１６は、アプリケータ端部分５１８Ａおよび５１８Ｂ上の乾燥した材料の活性化または再水和を示す。容器５６０は液体５６２を含む。液体５６２は、アプリケータ端部分５１８Ｂ上の乾燥材料を再活性化する、任意の溶媒とすることができる。例えば、液体５６２は温水とすることができる。温水の使用は、結果的に生じる組織への熱衝撃が少なく、かつ患者にとってより快適であるので、有利である。さらに、温水または他の溶媒は、乾燥した材料の復元または再活性化を助ける。使用直前に、アプリケータ端部分５１８Ｂが液体５６２中に浸漬され、塗布用の多部または成分の材料が活性化または再水和される。
【００４３】
図１７は、歯牙の過敏症の治療のような歯科処置におけるマルチパート成分の塗布を示す。活性化または水和後に、アプリケータ端部分５１８Ａ上の第一成分が、歯牙５２４および５２６の歯牙５２４および５２６と歯肉または歯茎５２２が交わる部分に塗布される。材料はまた、歯牙５２４および５２６の他の部分にも使用することができる。第一成分の塗布後、第二成分がアプリケータ５１０Ｂで塗布される。アプリケータ端部分５１８Ｂは再活性化または再水和された第二成分を含み、それは材料の第一成分と同じ付近に供給されてそれと反応する。その結果、歯科処置における多成分材料で、複数の異なる成分の材料を容易に塗布して、効果的な治療を提供することができる。
【００４４】
どんな多成分材料でも本発明で使用することができるが、本発明のこの実施形態は特に、二成分が結合されたときに歯科過敏症の治療に有効な結晶を形成する、マルチパート歯科用減感剤に適用可能である。本発明のこの実施形態は、歯科または医療処置に使用される単位または一回用量の材料を包装する問題を解決する。単位または一回用量の材料で要求されるような少量の液体材料を確実に収容し、かつ容易に投与することは、しばしば困難である。加えて、少量の液体材料は比較的短期間で劣化し、無効になることがある。これは少量づつ収容される液体材料の保存寿命を大幅に縮小する。
【００４５】
したがって、好適な実施形態を図示し説明したが、本発明の精神および範囲から逸脱することなく、様々な変形を施すことができることが当業者には明白であろう。
【図面の簡単な説明】
【００４６】
【図１】フロック加工端を有するアプリケータの斜視図。
【図２】発泡体端を有するアプリケータの斜視図。
【図３】長尺フロック加工端を有するアプリケータの斜視図。
【図３Ａ】玉状先端付き長尺フロック加工端を有するアプリケータの部分斜視図。
【図４】本発明のウェッジ形状のフロック加工された実施形態の用途を示す部分斜視図。
【図５】ブラシ端を有するアプリケータの斜視図。
【図６】アプリケータ上の第一の不活性な材料と別個の第二の活性化材料とを含むパッケージを示す斜視図。
【図７】アプリケータ上の第一の不活性な材料と活性化用の第二材料の別個のリザーバとを有するカプセルを示す断面図。
【図８】発泡体のアプリケータ端を有する本発明のカプセルの別の実施形態の断面図。
【図９】ブラシのアプリケータ端を有する本発明のカプセルの別の実施形態の断面図。
【図１０】アプリケータ先端およびシリンジを利用する本発明の別の実施形態を模式的に示す部分断面図。
【図１０Ａ】アプリケータ先端およびシリンジを利用する本発明の別の実施形態を模式的に示す部分断面図。
【図１１Ａ】本発明の実施形態の調製法を示す模式図。
【図１１Ｂ】本発明の実施形態の調製法を示す模式図。
【図１１Ｃ】本発明の実施形態の調製法を示す模式図。
【図１１Ｄ】本発明の実施形態の調製法を示す模式図。
【図１２】本発明の方法のステップを示すブロック図。
【図１３】本発明の別の実施形態の調製法を示す模式図。
【図１４】本発明の別の実施形態の調製法を示す模式図。
【図１５】多室パッケージを有する本発明の別の実施形態を示す斜視図。
【図１６】本発明の多室の実施形態の再活性化を示す模式図。
【図１７】本発明の多室の実施形態の用途を示す斜視図。
【図１】
0004732753.tif 000002
【図２】
0004732753.tif 000003
【図３】
0004732753.tif 000004
【図３Ａ】
0004732753.tif 000005
【図４】
0004732753.tif 000006
【図５】
0004732753.tif 000007
【図６】
0004732753.tif 000008
【図９】
0004732753.tif 000009
【図１０】
0004732753.tif 000010
【図１０Ａ】
0004732753.tif 000011
【図１１Ａ】
0004732753.tif 000012
【図１１Ｂ】
0004732753.tif 000013
【図１１Ｃ】
0004732753.tif 000014
【図１１Ｄ】
0004732753.tif 000015
【図１２】
0004732753.tif 000016
【図１３】
0004732753.tif 000017
【図１４】
0004732753.tif 000018
【図１５】
0004732753.tif 000019
【図１６】
0004732753.tif 000020
【図１７】
0004732753.tif 000021
【図７】
0004732753.tif 000022
【図８】
0004732753.tif 000023